(57)【要約】      （修正有）【課題】ウイングルーフ式等のトラックの荷台に平積みされている荷物を、フォークリフト運搬用のパレットに荷降ろしする際、パレットの高さとトラックの荷台の高さが同一となる荷降ろし機を提供する。【解決手段】荷降ろし機１０は荷受け架台２０と、荷受け架台２０上面にコンベア３０とパレットストッカー４０とを備えている。荷受け架台２０は、トラックＢの荷台の長手方向長さと同程度の長さを有し幅はパレットＡの幅と同程度となっている。架台には載置されるパレットＡの上面高さを調整可能な脚部２１が設けられている。荷受け架台２０上面にはコンベア３０が両側に一対で設けられている。パレットストッカー４０は荷受け架台２０のトラック荷台側とは反対側に設けられて未使用のパレットＡを立てかけて保管する。パレットストッカー４０の底面にはストッカー用コンベア４１が設けられて、パレットＡを立てかけたまま移送可能としている。【選択図】図１
2015024872.tif 000002
【特許請求の範囲】
【請求項１】
荷物をトラックから搬出して載せるための荷受け架台が高さ調整可能にトラックの荷物搬出口に対向して設けられ、
前記荷受け架台上面にコンベアが設けられ、
前記コンベアにパレットが載置されると前記パレット上面の高さがトラックの荷台の高さと同一となることを特徴とした荷降ろし機。
【請求項２】
前記コンベアがローラーコンベアで構成され、該コンベアが前記荷受け架台の上面両側に対となって設けられて該荷受け架台の中央部が歩行可能となっていることを特徴とした請求項１記載の荷降ろし機。
【請求項３】
前記荷受け架台のトラックの荷物搬出口側とは反対側にパレットを立てかけるパレットストッカーが設けられていることを特徴とした請求項１又は２に記載の荷降ろし機。
【請求項４】
前記パレットストッカーの底面にストッカー用コンベアが設けられ、前記ストッカー用コンベア上にパレットを載せて移送可能としたことを特徴とした請求項１〜３のいずれか１項に記載の荷降ろし機。
【請求項５】
前記荷受け架台の直上部分に雨よけのフードを設けたことを特徴とした請求項１〜４のいずれか１項に記載の荷降ろし機。
【請求項６】
前記コンベア上に載置されるパレットを所定の位置で固定するストッパーが設けられたことを特徴とした請求項１〜５のいずれか１項に記載の荷降ろし機。
【発明の詳細な説明】
【技術分野】
【０００１】
本発明は、ウイングルーフ式等のトラックの荷台に平積みされている荷物を、フォークリフト運搬用のパレットに荷降ろしする際の荷降ろし機に関するものである。
【背景技術】
【０００２】
従来より、荷物をトラックにて輸送し物流センター等の集積場に荷降ろしする際に、荷物が荷台に平積みで格納されている状態は非常に多く、この場合、フォークリフトにパレットを装着し、このパレットの上面がトラックの荷台の高さと同じになるようにフォークリフトを操作して横付けし、荷物をパレット上に荷降ろしすることがあった。
【０００３】
また、特許文献１の従来例（図４）のように、スロープ状のコンベアの上端をトラック後部に配設し、トラックの荷台に配置された作業者が荷物をコンベアに載せ、下端に配置された作業者が荷物を受け取ってパレットに載せる方法もある。
【０００４】
そこで、特許文献１のように、コンベアを内装した特殊なトラックを製造し、この内装コンベアに外部から入出荷コンベアをさらに接続して荷物を自動的に外部へ移送し、荷物に取り付けられたマーカを検知して荷取り上げ装置によって１個ずつ荷物を取り上げて搬送する装置によって人手を介さず荷降ろし作業の全自動化を行うことが開示されている。
【先行技術文献】
【特許文献】
【０００５】
【特許文献１】特開平９−７７２６７号公報
【発明の概要】
【発明が解決しようとする課題】
【０００６】
しかしながら、従来のようにフォークリフトをトラックの荷台に横付けする方法では、一つのパレットに荷降ろしを終えるとフォークリフトで配送し、空荷のパレットを装着してから再度パレット上面が荷台と同一の高さになるように横付けしなくてはならないので作業が非常に煩雑であり、また、荷物を荷降ろしする間フォークリフトを使用することができず、作業効率が高いとはいえない状態であった。また、安全性に問題もあった。
【０００７】
また、特許文献１の従来例（図４）では、コンベアに荷物を載せる作業者と受け取る作業者の２人が最低でも必要であり、作業効率や人件費の面で改善の余地があった。
【０００８】
さらに、特許文献１に示すような全自動で荷物を荷降ろしする装置では、専用のトラックや、荷物に専用のマーカを取付けたりと専用品が多数必要となる。例えば、自動車用部品のように単一の業種の商品を取り扱うのであれば、これらの専用品を統一化することは比較的容易で設備コストを抑えることも可能であるが、大型スーパーやドラッグストア等の物流センターの集積場では、様々な業種の商品を取り扱うことが当然であり、専用品で統一化して荷降ろしの全自動化を行うことは非常に困難である。
【０００９】
つまり、多くの集積場では従来通りトラックに平積みされた荷物を人手によって荷降ろしする必要が多々あり、作業者の負担の軽減や、作業効率を高める必要性があった。
【課題を解決するための手段】
【００１０】
本発明は、上述した課題を解決するためになされたものであり、請求項１に記載の発明は、荷物をトラックから搬出して載せるための荷受け架台が高さ調整可能にトラックの荷物搬出口に対向して設けられ、前記荷受け架台上面にコンベアが設けられ、前記コンベアにパレットが載置されると前記パレット上面の高さがトラックの荷台の高さと同一となることを特徴とした荷降ろし機である。
【００１１】
請求項２記載の発明は、前記コンベアがローラーコンベアで構成され、該コンベアが前記荷受け架台の上面両側に対となって設けられて該荷受け架台の中央部が歩行可能となっていることを特徴とした請求項１記載の荷降ろし機である。
【００１２】
請求項３記載の発明は、前記荷受け架台のトラックの荷物搬出口側とは反対側にパレットを立てかけるパレットストッカーが設けられていることを特徴とした請求項１又は２に記載の荷降ろし機である。
【００１３】
請求項４記載の発明は、前記パレットストッカーの底面にストッカー用コンベアが設けられ、前記ストッカー用コンベア上にパレットを載せて移送可能としたことを特徴とした請求項１〜３のいずれか１項に記載の荷降ろし機である。
【００１４】
請求項５記載の発明は、前記荷受け架台の直上部分に雨よけのフードを設けたことを特徴とした請求項１〜４のいずれか１項に記載の荷降ろし機である。
【００１５】
請求項６記載の発明は、前記コンベア上に載置されるパレットを所定の位置で固定するストッパーが設けられたことを特徴とした請求項１〜５のいずれか１項に記載の荷降ろし機である。
【発明の効果】
【００１６】
本発明の荷降ろし機によれば、パレットの高さとトラックの荷台の高さが同一となっているので荷物の搬出作業が効率的に行え、従来のようなフォークリフトを操作して装着されたパレットを荷台と同一の高さに横付けするような必要がないので、作業効率を大幅に向上することができる。
【００１７】
また、トラックが到着する以前に予め架台にパレットを載置しておくと、トラックが到着した直後から素早く荷降ろし作業を行うことができるので、作業効率の向上と荷降ろし作業者の負担軽減を図ることができる。
【００１８】
特にウイングルーフ式トラックに平積みされた荷物の荷降ろしに適用すると作業効率が飛躍的に向上する。つまり、ウイングルーフ式トラックはコンテナの側面部分を開放して荷降ろしをするものなので、トラックの荷台の長さと同程度の長さの荷降ろし機を設け予め複数のパレットをコンベアに載置しておくことができる。そのため従来のようなパレットを都度載置する必要が無く、作業効率が大幅に向上する利点がある。この場合、載置された複数のパレットが全て荷降ろし完了してからフォークリフトで一度に配送することも可能であるし、或いは、一つのパレットへの荷降ろしが完了し次のパレットに荷降ろししている間に、荷降ろしが完了したパレットをフォークリフトで配送することも可能なので作業効率の向上や人件費の削減が見込める。
【００１９】
また、架台の両側に一対のローラーコンベアが設けられていて中央部が歩行可能となっていると、荷降ろしされたパレットを移動する際に作業者が安全な体勢で簡便にパレットを押し引きすることができ、作業者の負担軽減にも貢献することができる。
【００２０】
また、前記荷受け架台のトラック荷台側とは反対側に予備のパレットを立てかけるパレットストッカーを有していると予備のパレットを立てかけて置いておけるので、パレットが足りなくなってもすぐに載置することができる。さらに、パレットを平積みせずに立てかけておけるので省スペース化にも貢献できる。また、パレットストッカーにコンベアが設けられると立てかけられたパレットの移送が簡便となる。
【００２１】
また、集積場の荷降ろし部分に屋根がない場合、荷受け架台の直上部分に雨よけのフードが設けられていると、荷物が濡れることがなく、商品管理が容易となる。
【００２２】
また、荷降ろし機にストッパーが設けられると、コンベアに載置されたパレットがストッパーによって所定の位置で固定されるので、不意にパレットが移動することなく安全に作業を行うことができる。
【図面の簡単な説明】
【００２３】
【図１】本発明に係る荷降ろし機の実施形態を示す図で、（ａ）は上面図、（ｂ）は側面図、（ｃ）は前方断面図を示す。
【図２】本発明に係る荷降ろし機の実施形態を示す前方図を示す。
【図３】本発明に係る荷降ろし機を集積場に適用した場合の図で、（ａ）は前方断面図、（ｂ）は上面図を示す。
【発明を実施するための形態】
【００２４】
以下、図面を参照して、本発明の実施の形態の一例について、さらに詳しく説明する。図１は本発明に係る荷降ろし機の実施形態を示す図で、（ａ）は上面図、（ｂ）は側面図、（ｃ）は前方断面図を示す。図２は本発明に係る荷降ろし機の実施形態を示す前方図を示す。図３は本発明に係る荷降ろし機を集積場に適用した場合の図を示す。
本実施例はウイングルーフ式トラックＢに本発明に係る荷降ろし機１０を適用した場合の一例であり、ウイングルーフ式トラックＢのウイングを開き、荷降ろし機１０に横付けした状態となっている。
【００２５】
荷降ろし機１０は、ウイングルーフ式トラックＢの荷台に平積みされている荷物Ｃを、フォークリフト運搬用のパレットＡに荷降ろしする装置である。荷降ろし機１０は荷受け架台２０と、コンベア３０とパレットストッカー４０とを備えている。
荷降ろし機１０は、ウイングルーフ式トラックＢが横付けされる際に、事前に荷降ろし機１０にパレットＡを載置しておくことでパレットを都度載置する必要が無く、また荷降ろし機１０に載置されたパレットＡの上面の高さとウイングルーフ式トラックＢの荷台の高さを同程度に調整することができるので、作業効率が大幅に向上するものである。
【００２６】
荷受け架台２０は、ウイングルーフ式トラックＢの荷台の長手方向長さと同程度の長さを有し幅はパレットＡの幅と同程度となっている。架台には高さ調整可能な脚部２１が設けられておりこれによって荷受け架台２０の上面高さを調整可能としている。荷受け架台２０にパレットＡが載置された状態でのパレットＡの上面がトラックＢの荷台の高さと同程度となるように調整することにより荷降ろし作業の効率化を図ることができる。荷受け架台２０後方端は集積場と連結されており、前方端には梯子２２が設けられている。
【００２７】
荷受け架台２０の上面にはコンベア３０が長手方向にパレットＡを移送するように設けられている。本実施例ではコンベアにローラーコンベアを用いているが、これに限らずベルトコンベア等でもよい。コンベア３０を図２のように荷受け架台２０の両側に一対で設けると中央部分が歩行可能となるので、パレットＡを人力で移送する際にコンベア３０を跨いだりする必要がないので安全で効率よく作業することができる。
【００２８】
また、コンベア３０には図示しないストッパーが設けられていて、コンベア３０に載置されたパレットＡを固定して移動しないようにすることが可能となっている。さらに、集積場の構造によっては、図３（ｂ）のように、コンベア３０が集積場内まで延設あるいは連結されていると、フォークリフトＤによる配送作業を効率的に行うことができる。
【００２９】
パレットストッカー４０は荷受け架台２０のトラック荷台側とは反対側に設けられて未使用のパレットＡを立てかけて保管するものである。パレットストッカー４０の構造は、パレットＡの底辺の長さより若干短い高さを有するステンレスパイプの手すり形状となっていて、荷降ろし架台２０の長手方向の長さと同程度ある。
荷降ろしの際、荷降ろし架台２０には予めパレットＡを複数載置しておいて荷降ろしを行うが、荷物Ｃの数が多い場合、載置しておいたパレットＡの数量では足らなくなる場合がある。そこで、パレットストッカー４０にパレットＡを予め所定の角度で立てかけておけば、必要となった際にわざわざパレットＡを配送する必要が無く即座にパレットＡを載置することができるので、作業を中断することが無く作業効率が良い。
また、パレットストッカー４０が所定の角度で傾いているとパレットＡを安定して立てかけることもできる。
【００３０】
また、パレットストッカー４０の底面に荷降ろし架台２０の長手方向にストッカー用コンベア４１を設けると、パレットＡをパレットストッカー４０に補充する際コンベアに載せてパレットＡを立てかけたままでも移送できるので作業者の負担が大幅に軽減できる。なお、パレットストッカー４０が所定の角度で傾いている場合、その傾き角度に直交するようにストッカー用コンベア４１を設けるとパレットＡの接地面積が増加するのでより安定して移送することもできる。
【００３１】
荷降ろし機１０の荷降ろし部分に集積場の屋根がない場合、図３（ａ）のように荷受け架台２０の直上部分に雨よけフード５０が設けられていると、荷物Ｃが濡れることがなく、商品管理が容易となる。
【００３２】
実際の集積場では図３のように、複数の荷降ろし機１０が並列に設置され、一度に複数のトラックを受け入れ可能とする。荷物Ｃが積載されたパレットＡが倉庫側へ移送されると、フォークリフトＤによってパレットＡを倉庫内に運搬し、また、空荷のパレットＡを所定の位置に載置する。フォークリフトＤは運搬作業に専従できるので集積場全体の効率化にも貢献できる。
【産業上の利用可能性】
【００３３】
本発明の荷降ろし機は、ウイングルーフ式トラックに平積みされた荷物の荷降ろしを一例として説明したが、これに限らずトラック後端から荷降ろしするタイプのトラックにも適用することができる。
【符号の説明】
【００３４】
Ａ      パレット
Ｂ      ウイングルーフ式トラック
Ｃ      荷物
Ｄ      フォークリフト
１０    荷降ろし機
２０    荷受け架台
２１    脚部
２２    梯子
３０    コンベア
４０    パレットストッカー
４１    ストッカー用コンベア
５０    雨よけフード
【図１】
2015024872.tif 000003
【図２】
2015024872.tif 000004
【図３】
2015024872.tif 000005